(57)【要約】  ガラス補強されたプラスチックからなる、各端部に端部キャップを有する円筒形のケース１２を開示する。各端部キャップ４２．２は、水が中を流れることのできる少なくとも１つの開口部５２を中に有する。図示の端部キャップ４２．２は、ケースの壁に埋め込まれ、ケースを内側から囲む取付けリング２８によって所定の場所に保持される。内側の溝３２は、取付けリング２８の円周に延在する。周囲に延在する外側隆状部３６を有する第１ロッキングリング３４が、リング２８内にある。隆条部３６が、溝３２の中にある。ロッキングリング３４を外側に広げ、隆条部３６を溝３２に圧入するように、第２ロッキングリング３８がロッキングリング３４の中に嵌まる。端部キャップ４２．２およびロッキングリング３８にあるピン穴４０が、ロッキングリング３８を端部キャップ４２．２に固定するピン４４を受ける。【選択図】図５
2008534271.tif 000002
【特許請求の範囲】
【請求項１】
ガラス補強されたプラスチックからなる円筒形のケースであって、
前記ケースの各端部の端部キャップであり、水が中を流れることのできる少なくとも１つの開口部をそれぞれが中に有し、前記ケースの壁に埋め込まれ、前記ケースを内側から囲む取付けリングによって所定の場所にそれぞれが保持され、内側の溝が前記取付けリングの円周に延在する端部キャップと、
周囲に延在する外側隆条部を有する第１ロッキングリングであり、前記隆条部が前記溝の中にある第１ロッキングリングと、
前記第１ロッキングリングを外向きに広げ、前記隆条部が前記溝の中へ圧入されるように、前記第１ロッキングリングの中に嵌まる第２ロッキングリングであり、前記端部キャップの中および前記第２ロッキングリングの中にピン穴がある第２ロッキングリングと、
前記第２ロッキングリングを前記端部キャップに固定するピンと
を有するケース。
【請求項２】
前記第１ロッキングリングは、前記第１ロッキングリングを形成するように前記取付けリング内に組み込まれる複数の弓形の部品を備える請求項１に記載のケース。
【請求項３】
円筒形のケースを製造および閉鎖する方法であって、
回転可能な心棒の各端部の上に取付けリングを滑り入れるステップと、
前記心棒を回転することによって前記ケースを形成するように、前記心棒の上に樹脂被覆されたグラスファイバを巻きつけるステップであり、前記取付けリングが前記ケースの中に埋め込まれ、各リングが内側溝を有するステップと、
前記ケースの各端部の中に端部キャップを挿入するステップと、
前記端部キャップを閉じ込めるように、第１ロッキングリングをそれぞれの前記取付けリングの中に挿入するステップであり、前記第１ロッキングリングが、前記取付けリングの溝に入る、円周に延在する隆条部を有するステップと、
前記第１ロッキングリングを広げ、前記隆条部を前記溝の中に圧入するように、第２ロッキングリングを、それぞれの第１ロッキングリングの中に挿入するステップと、
穴を介して前記第２ロッキングリングの中、および前記端部キャップの雌ねじ付き穴の中にピンを挿入することによって、前記第２ロッキングリングを前記端部キャップに固定するステップと
を含む方法。
【請求項４】
前記第２ロッキングリングを形成するために、複数の弓形部品をそれぞれの第１ロッキングリング内に組み付けるステップを含む請求項３に記載の方法。
【発明の詳細な説明】
【発明の分野】
【０００１】
本発明は、脱塩および濾過の分野に関する。
【発明の背景】
【０００２】
世界の多くの地域では、脱塩された海水および脱塩された汽水が、飲料水の唯一の源である。
【０００３】
別の水源（現時点では大部分が利用されていない）は、工場から流れ出る、および下水処理施設へと流れる汚染された水である。これら２つの源は、通常、水をせいぜいいわゆる「河川品質」と称されるものにするために処理され、その後、この水は河川の中に流され、したがって、再使用はされない。
【０００４】
使用されている様々な脱塩方法があり、一般的なものは、水は透過させるが、残りすべての固形分および溶解された固形分を保持する半透膜材を用いる。脱塩は、通常、大半の固形分を除去する濾過のステップよりも後に行われる。
【０００５】
この脱塩装置は、「膜」と呼ばれるものを使用する。それぞれの膜は、穿孔された芯管と、この芯管に固定され、その後芯管に巻かれる複数の方形の薄片とを備える。それぞれの薄片は３つの端部に沿って閉じられ、第４の端部に沿って開いている。この第４の端部に沿って、薄片が芯管に固定される。薄片が倒れるのを防ぐために、各薄片内にスペーサが設けられる。スペーサは、薄片と薄片との間にも設けられる。処理される水は、薄片と薄片との間の、溶解された固形分を保持する通路の中を流れ、薄片の材料を介して、薄片内の浸透通路の中へ浸透し、浸透通路から管の内側へと流れる。濃縮水は、一方の端部から他方へと膜に沿って流れ、保持通路の中に留まり、濃縮水出口を介して出る。
【０００６】
それぞれの膜は、細長い円筒形のケース内にある。各ケース内の圧力は、ほぼ４０から６０ｂａｒ以上である。この結果、端部の閉鎖部に大きな圧力が掛けられ、それがケースの端部を封止する。同様の形状の細長いケースが、液体を濾過し、液体から固形粒子を除去するのに用いられる。濾過に用いられるケースの中に存在する圧力は、脱塩に用いられる圧力よりも一般に低いが、それにもかかわらず、発生される力が、依然として端部の閉鎖部を外すことができる。
【０００７】
本発明の目的は、改良式のケースおよびそのようなケースを製造する改良式の方法を提供することである。
【発明の簡単な説明】
【０００８】
本発明の一態様によると、ガラス補強されたプラスチックからなる円筒形のケースが提供され、このケースは、ケースの各端部の端部キャップであり、水が中を流れることのできる少なくとも１つの開口部をそれぞれが中に有し、ケースの壁に埋め込まれ、ケースを内側から囲む取付けリングによって所定の場所にそれぞれが保持され、内側の溝が取付けリングの円周に延在する端部キャップと、周囲に延在する外側隆条部を有する第１ロッキングリングであり、前記隆条部が前記溝の中にある第１ロッキングリングと、第１ロッキングリングを外向きに広げ、前記隆条部が前記溝の中へ圧入されるように、前記第１ロッキングリングの中に嵌まる第２ロッキングリングであり、前記端部キャップの中および前記第２ロッキングリングの中にピン穴がある第２ロッキングリングと、第２ロッキングリングを端部キャップに固定するピンとを有する。
【０００９】
それぞれの第１ロッキングリングは、第１ロッキングリングを形成するように取付けリング内に組み込まれる複数の弓形の部品を備えることができる。
【００１０】
本発明のさらなる態様によると、円筒形のケースを製造および閉鎖する方法が提供され、この方法は、回転可能な心棒の各端部の上に取付けリングを滑り入れるステップと、心棒を回転することによって前記ケースを形成するように、前記心棒の上に樹脂被覆されたグラスファイバを巻きつけるステップであり、取付けリングがケースの中に埋め込まれ、各リングが内側溝を有するステップと、ケースの各端部の中に端部キャップを挿入するステップと、端部キャップを閉じ込めるように、第１ロッキングリングをそれぞれの前記取付けリングの中に挿入するステップであって、前記第１ロッキングリングが、取付けリングの溝に入る、円周に延在する隆条部を有するステップと、第１ロッキングリングを広げ、前記隆条部を前記溝の中に圧入するように、第２ロッキングリングを、それぞれの第１ロッキングリングの中に挿入するステップと、穴を介して第２ロッキングリングの中、および端部キャップの雌ねじ付き穴の中にピンを挿入することによって、前記第２ロッキングリングを端部キャップに固定するステップとを含む。本方法は、第２ロッキングリングを形成するために、複数の弓形部品をそれぞれの第１ロッキングリング内に組み付けるステップをさらに含んでよい。
【００１１】
本発明のよりよい理解のために、および本発明がどのように実行されてよいかを示すために、以下、非限定的な例によって添付の図面を参照して説明する。
【図面に沿っての詳細な説明】
【００１２】
まず図１を参照して、図示の逆浸透式脱塩装置１０は、円筒形のケース１２と、図１には１つしか見られない複数の端部の閉鎖部１４とを備える。ケース１２（図２および３を参照）内には、端から端までらせん状に巻かれた３つの逆浸透膜１６．１、１６．２および１６．３がある。そのような膜は当技術分野においてよく知られており、それらの構造については、本明細書において詳しく説明されない。本説明の説明の目的のために、それぞれの膜１６．１、１６．２および１６．３は、半浸透材料が回りに巻かれた薄片２０を有する芯管１８を備えることに留意されたい。
【００１３】
それぞれの膜１６の上流には、流れ分配板２２がある。この板２２は、国際公開第９７／２１６３０号パンフレットの明細書に、より完全に説明される。薄片２０の半浸透材を介して浸透された水が、膜１６．１の芯管の出口端部まで流れることができるように、２つの短い管２４が３つの芯管１８を端から端まで連結する。膜１６．３の芯管を膜１６．２の芯管に連結する管２４から遠位にある、膜１６．３の芯管１８の端部を、栓２６が閉じる。
【００１４】
ケース１２を製造するために、硬化性樹脂の２つの成分が混合される。樹脂混合物は、層を形成するように、心棒の表面に噴霧、塗装、または塗布されることができるものでなければならない。樹脂は、硬化したとき、ケースの長さ方向に延びることができるようにある程度の弾性を有するものでなければならず、また、延びた後に元の長さに戻るように記憶を有するものでなければならない。
【００１５】
グラスファイバの粗紡が、１つまたは複数のリールから繰り出され、樹脂の浴を介して通され、次に、余分な樹脂を除去するようにスクレーパを通される。浴およびスクレーパは、巻き取りヘッド部（図示せず）をなす。粗紡の自由端部が、心棒上の粘着性の樹脂層に対して押し付けられて、それによって張り付く。次に、リールから粗紡を引くように心棒が回転され、同時に、巻き取りヘッド部が、心棒に沿って前後に往復運動して、それによって粗紡が心棒の全長に施される。
【００１６】
ケースの厚みの一部が巻かれた後、樹脂被覆された粗紡を用いて、電気コイル（図示せず）が、その一部形成されたケースの上に巻かれる。その後、樹脂被覆された粗紡を用いた巻きつけが続く。こうして、電気コイルは、ケースの壁の中に埋め込まれる。この機能は、国際公開第９８／３０５０１号パンフレットの明細書に説明されている。
【００１７】
ケースが必要な壁厚を有するようになったら、必要な表面仕上げを得るように、ゲル被覆を用いて外側から被覆される。
【００１８】
ケースに適する材料は以下の通り。
内側層（ライナ）  ＵＲＣＯ／６４１４  Ａ＋Ｂ
粗紡  ＤＲ２４００ｔｅｘ
樹脂  ＳＰ４５７８  硬化剤  ＳＰ４５７８−１
【００１９】
円周上に延在する複数の外側フランジ３０（図４および５を参照）をそれぞれが有する２つのリング２８が、巻き取りの開始前に、心棒のそれぞれ端部の上に１つずつ滑り入れられる。弾性の層が、一方のリングから他方のリングへと延在する。リング２８は、巻き取りが進むにつれて、ケース１２の両端部に埋め込まれる。フランジ３０のために、リング２８はケースのグラスファイバ補強材と噛み合い、そのグラスファイバ補強材に対して固定される。図３および４に、リング２８がケース１２から離されて示されている。各リング２８の「刻印」がケース１２内に示されている。
【００２０】
各リング２８は、内側の円周に延在する溝３２も有する（特に図４を参照されたい）。
【００２１】
複数部分のリング３４（やはり図４に最もよく示される）が、各リング２８の中へ嵌め込まれる。各リング３４は、３つまたは４つの弓形部分を備え、リング３４はリング２８内に組み込まれる。各リング３４のそれぞれの部分は、端から端まで延在する外側隆条部を有する。リング３４が組み立てられたときにその隆条部の部分が協働して、リング２８の溝３２と噛み合う、円周上に延在する隆条部３６を形成する。
【００２２】
さらなるリング３８が、各リング３４の内側に嵌まる。リング３８は、リングの円周上に間隔を置いた、リングを介して軸方向に延在する穴４０を有する。
【００２３】
ドーム状の端部キャップ４２．１、４２．２が、ピン４４によってリング３８に固定され、ピン４４は、穴４０を通って、端部キャップ４２．１、４２．２の雌ねじ付きめくら穴４６（図４および５を参照）の中へねじ込まれる。端部キャップ４２．１は、キャップを通る２つの管４８および５０を有し、他方の端部キャップ４２．２は、キャップを通る単一の管５２を有する。
【００２４】
図４および５に示された端部の閉鎖部の構成要素を組み立てる順序は以下の通りである。端部キャップ４２．２が、ケース１２の端部の中へ挿入され、埋め込まれたリング２８を通過する。次に、隆条部３６が溝３２と噛み合い、端部キャップ４２．２を留めるように、リング３４が、埋め込まれたリング２８の内側に組み込まれる。次に、リング３８が、組み込まれたリング３４の中へ挿入され、ピン４４が、リング３８を介して通され、端部キャップ４２．２の雌ねじ付きめくら穴の中へねじ込まれる。リング３８がリング３４を広げ、隆条部３６を溝３２の中へ押し込む。
【００２５】
脱塩される水が、管４８を介して入り、図２に見られるように左側の板２２の上流の空間の中へ流れ込む。膜１６．１の塩分保持通路から出てきた水が、中央の板２２を介して、膜１６．２の中へ流れ込み、その後、膜１６．３へと流れる。濃縮水が管５２を介して出てきて、浸透された水が、管５０を介して出てくる。
【図面の簡単な説明】
【００２６】
【図１】円筒形のケースを含む逆浸透式の水脱塩装置の図である。
【図２】説明を簡単にするためにいくつかの構成要素が外されているのを示す、図１の装置の縦方向、直径方向の断面図である。
【図３】図１の装置の拡大した、また、断面を示す分解図である。
【図４】端部の閉鎖部を形成する構成要素を示す分解図である。
【図５】組み付けられた端部の閉鎖部を示す断面図である。
【図１】
2008534271.tif 000003
【図２】
2008534271.tif 000004
【図３】
2008534271.tif 000005
【図４】
2008534271.tif 000006
【図５】
2008534271.tif 000007
【国際調査報告】
2008534271.tif 000008
2008534271.tif 000009
2008534271.tif 000010